(57)【特許請求の範囲】
【請求項１】
畜舎本体と、この畜舎本体の前面に取り付けられた開閉自在な扉と、この扉を回動自在に枢着するヒンジ機構と、この扉を施錠する施錠装置とを備え、
上記の施錠装置は、上記の扉に上下対称で上下に移動自在に設けられた移動部材およびこの移動部材の上端部および下端部に上下対称に水平方向に突設された一対の係止ピンを備え、また上記の畜舎本体には上記の係止ピンにそれぞれ対応して施錠機構が設けられており、上記の係止ピンは、この係止ピンおよび上記の移動部材に作用する重力によって上記の施錠機構と係合するものであり、
また上記のヒンジ機構は、上記の扉に上下対称に設けられた一対のヒンジ軸部材を備えており、このヒンジ軸部材の先端部には鉛直方向に倒立Ｕ字状に形成されたヒンジ軸部を有しており、またこのヒンジ軸部材の基端部は上記の扉に対して水平軸線回りに回動自在に取り付けられており、また畜舎本体には上記のＵ字状のヒンジ軸部を回動自在に支承するヒンジ軸受部材が設けられていることを特徴とする小動物用畜舎の扉装置。
【発明の詳細な説明】
【０００１】
【産業上の利用分野】
本発明は、犬、猫等の小動物用の畜舎に関する。さらに本発明を特定すれば、本発明は、扉の右開きおよび左開きを容易に変更することができる小動物用畜舎の扉装置に関する。
【０００２】
【従来の技術】
一般に、ペット病院、動物園等において、小型の動物を一時的に収容する小形の畜舎が使用されている。このような畜舎は、箱形の畜舎本体と、この本体の全面に開閉自在に取り付けられた扉とを備えている。
【０００３】
これらの畜舎は動物の出し入れも頻繁であり、扉の開閉の頻度も高い。また、動物の出し入れは、動物を抱えたまま行うことが多い。このため、このような小動物用畜舎の扉の開閉および施錠操作はできるだけ簡単であることが要求される。さらに、猿や猫等の器用な動物では、自分で施錠を解除してしまう可能性があり、動物には解錠できない構造であることも必要である。
【０００４】
一方、このような畜舎は設置場所の関係で扉を右開きまたは左開きに任意に選択できることが好ましい。このような扉の右開きまたは左開きを変更するには、従来からヒンジおよび施錠機構を扉および本体の左右に任意に取り付け可能とした構造のものが考えられている。しかし、このような畜舎の扉の施錠装置は、扉の開閉を容易とするとともに、動物が解錠してしまうのを防止するために比較的複雑な構造をなしている。したがって、このような畜舎の扉を左右開きを選択できるように構成した場合には、右開き用と左開き用の部品を何種類も用意する必要が生じる。このため、コストが上昇するともに、扉の取り付けや左右開きの変更の作業が面倒になる等の不具合を生じる。
【０００５】
【発明が解決しようとする課題】
本発明は以上の事情に基づいてなされたもので、開閉、施錠、解錠等が容易であるとともに、右開き、左開きが簡単に変更できるとともに、右開きまたは左開き専用の部品を必要とせず、取り付けや左右開き変更の作業が簡単である畜舎の扉装置を提供するものである。
【０００６】
【課題を解決するための手段】
本発明は、扉に上下対称で上下に移動自在な移動部材を設け、この移動部材の上端部および下端部に上下対称に一対の水平方向の係止ピンが突設されている。また畜舎本体側には上記の係止ピンにそれぞれ対応して施錠機構が設けられている。そして、上記の係止ピンは、この係止ピンおよび上記の移動部材に作用する重力によって上記の施錠機構と係合して施錠がなされる。また、この扉のヒンジ機構は、扉側に上下対称に設けられた一対のヒンジ軸部材を備えている。このヒンジ軸部材の先端部には鉛直方向に倒立Ｕ字状に形成されたヒンジ軸部を有しており、またこのヒンジ軸部材の基端部は上記の扉に対して水平軸線回りに回動自在に取り付けられている。また畜舎本体側には、ヒンジ軸受部材が設けられており、上記のＵ字状のヒンジ軸部の先端部が回動自在に支承される。また、このヒンジ軸部材は、上記の施錠機構と同じ高さ位置に取り付けられるように構成され、畜舎本体の右縁部および左縁部には上記の施錠機構またはヒンジ軸受部材が選択的に取り付け可能となっている。
【０００７】
【作用】
上記の案内部材および係止ピンは上下対称であるとともに重力によって施錠機構に係合するものであるから、この施錠機構を畜舎本体の右側または左側に取り付けた場合でも、この扉を上下逆にして取り付ければ、いずれの場合でもこの施錠機構と係合することができる。一方、ヒンジ機構は、扉側に設けられた倒立Ｕ字状のヒンジ軸部材が水平軸線回りに回動自在であるので、このヒンジ機構のヒンジ軸受部材を畜舎本体の左側または右側に取り付けたいずれの場合でも、この扉を上下逆にしてヒンジ軸部材を回動させれば、これらヒンジ軸部材はいずれの場合も倒立Ｕ字状となりヒンジ軸受部材に嵌合することができる。
【０００８】
上記のような扉装置は、扉の右開きおよび左開きを任意に選択して取り付けることができ、しかも右開き用、左開き用の部品を必要とせず、コストが低減できるとともに、その取り付けまたは左右開きの変更が容易である。
【０００９】
【実施例】
以下、図を参照して本発明の一実施例を説明する。このものは、ペット病院等で使用される畜舎であり、箱状をなし、必要に応じて複数個のものを積み重ねて使用される。なお、この図示する実施例では、扉の向かって左側にヒンジを取り付けた左開きの場合のものである。
【００１０】
図中の１は畜舎本体であり、この畜舎本体１はステンレス鋼板から構成された箱状のものである。そして、この畜舎本体１の前面には上下２個の扉２が取り付けられている。これらの扉２はヒンジ機構３によって独立して開閉自在に取り付けられている。これらの扉２は、たとえばステンレス鋼の丸棒からなる格子状のものである。なお、この扉は合成樹脂材料からなる板状のものであってもよい。また、これらの扉２のヒンジ機構３の軸線は、これらの扉が重力によって自然に開くように傾斜されている。
【００１１】
そして、これらの扉２を閉じた状態に施錠する施錠装置４がそれぞれ設けられている。これらの施錠装置は、この扉２に対して上下対称に配置されている。以下、これらの施錠装置を第２図を参照して説明する。
【００１２】
図中の５は案内部材であって、上記の扉２の縁部に取り付けられている。この案内部材５はステンレス鋼の板材から形成され、コ字状をなし、その上端脚部５ａおよび下端脚部５ｂには細長状の案内孔８がそれぞれ形成されている。また、この案内部材５は上下対称の形状をなしているとともに、この扉２の上下の中央部に、すなわち上下対称に取り付けられている。そして、これらの案内孔８内には、移動部材６が上下に移動自在に案内されている。この移動部材６はステンレス鋼の板材を帯状に打ち抜いたものである。なお、上記の案内孔８の縁部には合成樹脂製の縁部材９が取り付けられ、この移動部材６と案内部材５とが直接接触するのを防止し、金属同志の接触による騒音の発生を防止している。
【００１３】
また、上記の移動部材６の上端部および下端部にはそれぞれ係止ピン７が略水平方向に突設されており、これらの係止ピン７も上下対称に配置されている。なお、上方の係止ピン７は上記の上端脚部５ａの上面に当接してこの移動部材が抜け落ちるのを防止し、また下方の係止ピンはこの移動部材６が上方に移動した場合に下端脚部５ｂの下面に当接し、この移動部材６のストッパとして作用する。また、この扉２を上下逆にした場合には、これらの案内部材５および移動部材６も上下逆になるが、これらは上下対称であるので、この場合でも係止ピン７の位置および移動部材６の移動ストロークともに上記の場合と同様となる。
【００１４】
また、前記の畜舎本体１の前面のフランジ部には、上記の係止ピン７の位置にそれぞれ対応して施錠機構１１，１２がそれぞれ取り付けられている。これらの施錠機構１１，１２の本体はステンレス鋼の板材Ｔ字状にプレス成形して構成され、この畜舎本体の前方側に突出した板状の突出部１５を有しており、それぞれ上記の係止ピン７と係合し、この扉を施錠するものである。なお、これらの施錠機構１１，１２は、左右対称形をなし、その中心部の切欠部３３を貫通して上記の畜舎本体１の前面の縁部に形成された螺孔３１内に螺装される螺子３２によってこの畜舎本体１の右側または左側のいずれにも取り付け可能となっている。
【００１５】
これらの施錠機構１１，１２の突出部１５の下前部には、前方に向けて下方に傾斜した斜面部１３が形成されている。したがって、上記の扉２が閉じられた場合、上記の係止ピン７がこれらの斜面部１３に沿って上方に押上られるように構成されている。また、これらの突出部１５には、係合溝１４が形成されている。これらの係合溝１４は略垂直方向に沿って形成され、それらの上端部は、上記の斜面部１３の上部に開放されている。したがって、上記の斜面部１３に沿って押上られた係止ピン７は、重力によってこれら係合溝１４内に落下し、この扉２を施錠するように構成されている。
【００１６】
また、上記の下方の施錠機構１２には、解錠レバー２１が取り付けられている。この解錠レバー２１はピン２０によって回動自在に枢着され、またその端部には押上部２２が形成され、この押上部２２は上記の係合ピン７の下方に位置している。したがって、たとえば動物を抱いたまま、肘でこの解錠レバー２１を押すことにより、上記の係止ピン７が移動部材６とともに押上られ、解錠することができる。なお、このこれらの解除レバー２１は、この施錠機構１２を左右対称とするために、一対のものが上記の突出部１５の両側に設けられており、これらは軸２０によって一体化されている。
【００１７】
また、この上方の扉２の施錠装置４の上方の施錠機構１１には、安全ロック機構２３が設けられている。図中の２４は安全ロック部材であって、ステンレス鋼板を打ち抜いて形成され、上記の施錠機構１１の突出部１５の側面にピン２５によって枢着され、上下方向の面内で回動自在となっている。そして、この安全ロック部材２４の先端部には、鉤状部２６が形成され、この鉤状部２６には顎部２７が形成されている。また、この安全ロック部材２４の基端部には、当接部２８が突設されている。また、この安全ロック部材２４の先端部には、これを手で回動させるための回動用ピン３０が突設されている。なお、この安全ロック部材２４は、この施錠機構１１を左右対称にするために一対のものが上記の突出部１５の両側側面に設けられ、これらは上記のピン２５によって一体化されている。
【００１８】
そして、この安全ロック部材２４は、第２図に示すような安全ロックの解除状態では、その先端部の鉤状部２６を下方に向けて重力により垂下している。そして、この状態では、上記の当接部２８は上記の斜面部１３より上方に突出している。なお、上記の係合部材１１の側面にはストッパピン２９が突設され、この垂下した安全ロック部材２４に当接し、この安全ロック部材２４を所定の姿勢に維持する。
【００１９】
そして、これらの安全ロック部材２４や上記の係合溝１４、係止ピン７等の形状、寸法、および相互の位置関係等は以下のように設定されている。すなわち、第３図および第４図に示すように、上記の係止ピン７が上記の係合溝１４内を上下に移動する際のこの係止ピン７の周面の描く軌跡Ａと、上記の安全ロック部材２４が回動する際のその顎部２７の描く軌跡Ｂとの関係は、軌跡Ａの一部において、上記の軌跡Ｂがこの軌跡Ａの内側、すなわち安全ロック部材２４の回動中心側に位置するように設定されている。この軌跡Ａと軌跡Ｂとを上記のような関係に設定するためには、上記の安全ロック部材２４や係合溝１４の形状、寸法、およびこの安全ロック部材２４の回動中心すなわちピン２５の位置等を適宜設定すればよい。なお、この一実施例では、上記の軌跡Ｂが軌跡Ａの内側に位置する領域におけるこれら軌跡の重複量を大きくするように、上記の係合溝１４は前方に向けて下方に傾斜している。
【００２０】
このような施錠装置を解放するには、移動部材６を手で上昇させるか、または前記の解錠レバー２１を肘で押してこの移動部材６を上昇させる。これによって、上記の係止ピン７が係合溝１４から抜け出し、解錠がなされる。また、扉２を閉めると、この係止ピン７は斜面部１３に当接して押し上げられ、重力によって上記の係合溝１４内に係合して施錠がなされる。
【００２１】
また、上記の安全ロック機構２３の作用を説明する。まず、この安全ロック部材２４がロック解除の状態では、第２図に示す如くこの安全ロック部材２４はその先端の鉤状部２６を下方に向けて重力により垂下している。
【００２２】
そして、前記の扉２を閉じると、上記の係止ピン７が係合部材１１，１２の斜面部１３に当接し、この斜面部１３に沿って押上られる。この際、この係止ピン７が上記の安全ロック部材２４の当接部２８に当接し、これによってこの安全ロック部材２４はその鉤状部２６が上方に移動するように略１８０°回動する。
【００２３】
そして、この係止ピン７がこの斜面部１３の上部まで押上られると、この係止ピン７は係合溝１４内に落下する。この際、第３図に示すように、上記の反転した安全ロック部材２４の鉤状部２６の顎部２７がこの係止ピン７の上面に当接する。この状態は、この係止ピン７の軌跡Ａと顎部２７の軌跡Ｂとが重複している領域であるため、この顎部２７が係止ピン７の周面に当接し、この鉤状部２６はこの係止ピン７に完全には嵌合しない。そして、この状態でこの係止ピン７は係合溝１４内を落下してゆき、安全ロック部材２４もその顎部２７が係止ピン７に当接した状態で下方に回動してゆく。
【００２４】
そして、この係止ピン７がＰ点に達し、軌跡Ａと軌跡Ｂとが重複している領域から外れると、顎部２７が係止ピン７の周面から離れ、この安全ロック部材２４はこの係止ピン７とは別に自由に下方に回動し、最終的に第４図に示すように、係止ピン７が係合溝１４の底部に保持され、またこの安全ロック部材２４の鉤状部２６がこの係止ピン７を抱え込むように完全に嵌合する。この状態で、施錠が完了し、かつ安全ロックがなされる。
【００２５】
この状態で、畜舎本体１内の動物がこの係止ピン７や移動部材６を上方に持ち上げた場合には、上記の係止ピン７は安全ロック部材２４を押し上げつつこの係合溝１４内を上昇する。しかし、この係止ピン７が軌跡Ａと軌跡Ｂとが重複する領域すなわちＰ点まで上昇すると、この係止ピン７に安全ロック部材２４の顎部２７が干渉する。そして、この係止ピンがこれ以上上昇するためには顎部２７がこの係止ピン７内にめり込まねばならず、このようなことは生じないので、この係止ピン７はこれ以上に上昇することが阻止される。したがって、動物がこの施錠装置を解錠することは不可能である。
【００２６】
また、上記の扉２を枢着している前記のヒンジ機構３の構成について第５図および第６図を参照して説明する。この扉装置は、前述の如く右開き、左開きの両方の状態に換装することができるもので、図５は扉２の向かって左側にヒンジ機構がある場合、すなわち左開きの場合であり、また図６は扉２の右側にヒンジ機構がある場合、すなわち右開きの場合である。
【００２７】
この扉２の側部には、一対のヒンジホルダ４０が水平方向に取り付けられ、このヒンジホルダ４０にはヒンジ軸部材４１が水平軸線まわりに回動自在に支承されている。そして、このヒンジ軸部材４１の先端部は、鉛直方向に倒立Ｕ字状に屈曲されてヒンジ軸部４２を構成している。また、上記の畜舎本体１の側縁部には、一対のヒンジ軸受部材４３が設取り付けられている。このヒンジ軸受部材４３はステンレス鋼板をプレス成形したもので、略半円形の軸受部４４が形成され、また上下対称な形状をなしている。そして、このヒンジ軸受部材４３はその上下端部に形成された切欠４５を介して畜舎本体１の前面縁部に形成された螺孔４６に螺装される螺子４７によってこの畜舎本体１の前面縁部に取り付けられる。そして、上記のヒンジ軸部材４１のヒンジ軸部４２がこのヒンジ軸受部材４３の軸受部４４内に上方から挿入され、この扉２が畜舎本体１の前面に開閉自在に枢着される。
【００２８】
そして、上記のヒンジ軸部材４１およびヒンジ軸受部材４３は、上下対称に配置されている。また、上記の畜舎本体１の前面縁部に形成されている螺孔４６および３１は、その径や間隔が左右同じものである。したがって、上記のヒンジ軸受部材４３および前述の施錠機構１１，１２は、この畜舎本体１の前面の右側または左側の縁部のいずれにも任意に取り付けられるように構成されている。
【００２９】
そして、たとえばこの扉２をそのヒンジを向かって左側、すなわち左開きに装着する場合には、図１、図２および図５に示すように、ヒンジ軸受部材４３を左側に取り付け、また施錠機構１１，１２を右側に取り付ける。次に、この扉２を右開きに取り付ける場合には、上記とは逆に上記の施錠機構１１，１２を畜舎本体１の左側に取り付け、またヒンジ軸受部材４３をこの畜舎本体１の右側に取り付ける。この場合、上記の施錠機構１１，１２は左右が対称であるから、そのまま左側に取り付けることができる。また、上記のヒンジ軸受部材４３は上下が対称であるから、その上下を逆にすることによりこの右側にも取り付けることができる。
【００３０】
次に、上記の扉２を上下を逆にして取り付ける。この場合、この扉２側に取り付けられているヒンジ軸部材４１のＵ字状のヒンジ軸部４２が上下逆になるが、図６に示すように、このヒンジ軸受部材４１を水平軸線回りに１８０°か移動させれば、このヒンジ軸部４２は下向きとなり、この左側のヒンジ軸受部材４３に装着することができる。また、この扉２に装着されている移動部材６および係止ピン７は、上下が対称であるとともに、重力によって施錠機構１１，１２に係合するものであるから、この扉２を上下逆にしてもこれら左側の施錠機構１１，１２と係合することができる。
なお、本発明は上記の実施例には限定されない。たとえば、施錠機構は、必ずしも解錠レバーや安全ロック機構を備える必要はない。
【００３１】
【発明の効果】
上記の如く本発明の扉装置は、案内部材および係止ピンは上下対称であるとともに重力によって施錠機構に係合するものであるから、この扉を上下逆にして取り付けてもこの施錠機構と係合することができる。一方、ヒンジ機構は、扉側に設けられた倒立Ｕ字状のヒンジ軸部材が水平軸線回りに回動させれば、この扉を上下逆にしても取り付けることができる。よって、扉の右開きおよび左開きを任意に選択して取り付けることができ、しかも右開き用、左開き用の部品を必要とせず、コストが低減できるとともに、その取り付けまたは左右開きの変更が容易である。
【図面の簡単な説明】
【図１】本発明の実施例の斜視図。
【図２】施錠装置の部分の分解斜視図。
【図３】安全ロック機構の作動を示す概略図。
【図４】安全ロック機構の作動を示す概略図。
【図５】ヒンジ機構の部分の分解斜視図。
【図６】ヒンジ機構の部分の分解斜視図。
【符号の説明】
１…畜舎本体
２…扉
３…ヒンジ機構
４…施錠装置
６…移動部材
７…係止ピン
１１，１２…施錠機構
４１…ヒンジ軸部材
４２…ヒンジ軸部
４３…ヒンジ軸受部材
【図１】
0003545819.tif 000002
【図２】
0003545819.tif 000003
【図３】
0003545819.tif 000004
【図４】
0003545819.tif 000005
【図５】
0003545819.tif 000006
【図６】
0003545819.tif 000007